(57)【特許請求の範囲】
【請求項１】
シャッタースラットに取り付けられ、作動バーを駆動させてシャッターの施解錠を可能にしたキーユニットを備え、このキーユニットが、シャッタースラットの室外側の面に略直交する方向からキー操作可能なキーシリンダと、このキーシリンダのキー操作に連動して回動する第１ギアと、この第１ギアに噛み合うラックを有する板状の室内操作部と、この室内操作部を介して第１ギアに連動し、この第１ギアとは異なる軸上を回動する第２ギアと、この第２ギアと同軸上であって当該第２ギアと前記シャッタースラットとの間に取り付けられ、当該第２ギアと一体的に回動することにより、板状の前記作動バーを前記シャッタースラットの幅方向に直接的もしくは間接的に駆動させる第３ギアと、を有し、前記室内操作部と前記第１ギアと前記第２ギアとを第１の面内にまとめて配置すると共に、前記第３ギアと前記作動バーとを当該第１の面とほぼ平行な第２の面内にまとめて配置したことを特徴とするシャッター。
【請求項２】
シャッタースラットに取り付けられ、作動バーを駆動させてシャッターの施解錠を可能にしたキーユニットを備え、このキーユニットが、シャッタースラットの室外側の面に略直交する方向からキー操作可能なキーシリンダと、このキーシリンダのキー操作に連動して回動する第１ギアと、この第１ギアに室内側から操作可能なつまみを有する第４ギアを介して連動すると共に、この第１ギアとは異なる軸上を回動する第２ギアと、この第２ギアと同軸上であって当該第２ギアと前記シャッタースラットとの間に取り付けられ、当該第２ギアと一体的に回動することにより、板状の前記作動バーを前記シャッタースラットの幅方向に直接的もしくは間接的に駆動させる第３ギアと、を有し、前記第４ギアと前記第１ギアと前記第２ギアとを第１の面内にまとめて配置すると共に、前記第３ギアと前記作動バーとを当該第１の面とほぼ平行な第２の面内にまとめて配置したことを特徴とするシャッター。
【請求項３】
前記キーユニットは、前記第３ギアに噛み合うラックを有し、当該第３ギアに連動する板状の中間バーを備え、この中間バーを介して、前記作動バーを駆動させることを特徴とする請求項１または２に記載のシャッター。
【請求項４】
前記作動バーは、ラックを介して前記第３ギアに噛み合い、この第３ギアの動作に連動して前記シャッタースラットの幅方向に駆動されることを特徴とする請求項１または２に記載のシャッター。
【発明の詳細な説明】
【０００１】
【発明の属する技術分野】
本発明は、キーユニットを備えたシャッターに関する。
【０００２】
【従来の技術】
一般に、シャッタースラットに取り付けられ、シャッターの施解錠を可能にしたキーユニットを備えたシャッターが知られている。この種のものでは、シャッターの上方に巻き上げ機を有し、当該シャッタースラットをドラム状に上方に巻き上げてシャッターを開き、シャッタースラットを下方に繰り出してシャッターを閉じる構成が一般に採用されている。
【０００３】
【発明が解決しようとする課題】
しかし、上記構成のシャッターでは、シャッタースラットをドラム状に上方に巻き上げるときに、キーユニットを一体的に巻き込んでしまうため、このキーユニットの厚さ分だけシャッタースラットの巻き径が大きくなり、その結果、スラット巻き上げ機が大型化するという問題がある。
【０００４】
そこで、本発明の目的は、上述した従来の技術が有する課題を解消し、キーユニットの厚さを薄くして、シャッタースラットの巻き径を可能な限り小さくしたシャッターを提供することにある。
【０００５】
【課題を解決するための手段】
請求項１記載の発明は、シャッタースラットに取り付けられ、作動バーを駆動させてシャッターの施解錠を可能にしたキーユニットを備え、このキーユニットが、シャッタースラットの室外側の面に略直交する方向からキー操作可能なキーシリンダと、このキーシリンダのキー操作に連動して回動する第１ギアと、この第１ギアに噛み合うラックを有する板状の室内操作部と、この室内操作部を介して第１ギアに連動し、この第１ギアとは異なる軸上を回動する第２ギアと、この第２ギアと同軸上であって当該第２ギアと前記シャッタースラットとの間に取り付けられ、当該第２ギアと一体的に回動することにより、板状の前記作動バーを前記シャッタースラットの幅方向に直接的もしくは間接的に駆動させる第３ギアと、を有し、前記室内操作部と前記第１ギアと前記第２ギアとを第１の面内にまとめて配置すると共に、前記第３ギアと前記作動バーとを当該第１の面とほぼ平行な第２の面内にまとめて配置したことを特徴とする。
【０００６】
請求項２記載の発明は、シャッタースラットに取り付けられ、作動バーを駆動させてシャッターの施解錠を可能にしたキーユニットを備え、このキーユニットが、シャッタースラットの室外側の面に略直交する方向からキー操作可能なキーシリンダと、このキーシリンダのキー操作に連動して回動する第１ギアと、この第１ギアに室内側から操作可能なつまみを有する第４ギアを介して連動すると共に、この第１ギアとは異なる軸上を回動する第２ギアと、この第２ギアと同軸上であって当該第２ギアと前記シャッタースラットとの間に取り付けられ、当該第２ギアと一体的に回動することにより、板状の前記作動バーを前記シャッタースラットの幅方向に直接的もしくは間接的に駆動させる第３ギアと、を有し、前記第４ギアと前記第１ギアと前記第２ギアとを第１の面内にまとめて配置すると共に、前記第３ギアと前記作動バーとを当該第１の面とほぼ平行な第２の面内にまとめて配置したことを特徴とする。
【０００７】
また、請求項３記載の発明は、請求項１または２に記載のシャッターにおいて、前記キーユニットは、前記第３ギアに噛み合うラックを有し、当該第３ギアに連動する板状の中間バーを備え、この中間バーを介して、前記作動バーを駆動させることを特徴とするものである。また、請求項４に記載の発明は、請求項１または２に記載のシャッターにおいて、前記作動バーは、ラックを介して前記第３ギアに噛み合い、この第３ギアの動作に連動して前記シャッタースラットの幅方向に駆動されることを特徴とするものである。
【０００８】
これらの発明では、作動バーの駆動機構をまとまりよく２つの面内に納めることができ、キーユニットの厚さを薄くすることができるため、シャッタースラットをドラム状に上方に巻き上げたとき、キーユニットを一体的に巻き込んだとしても、シャッタースラットの巻き径を小さくすることができ、巻き上げ機の小型化を達成することができる。
【０００９】
【発明の実施の形態】
以下、本発明の一実施形態を添付図面に従って説明する。
【００１０】
図１はシャッター付きのサッシを示す縦断面図である。１は窓枠を構成する上枠を示し、２は下枠を示している。この窓枠には、室内側から内障子３、外障子５、及び網戸７が開閉自在に取り付けられ、この網戸７の外側にシャッター１０が取り付けられている。このシャッター１０は、上枠１の上に設置されたシャッターボックス１１を含み、このシャッターボックス１１内に、モータ駆動されるシャフト２１と、このシャフト２１に巻かれて巻き取り或いは繰り出しされるシャッタースラット２３とを備えて構成されている。このシャッター１０の開閉はモータ駆動によらず、手動開閉によってもよい。
【００１１】
そして、シャッタースラット２３が繰り出されて、シャッター１０が完全に閉じられたとき、出入り口の高さ方向のほぼ中間部に位置するように、施錠用のキーユニット２５を備えたシャッタースラット２３Ａが取り付けられている。このキーユニット２５が、出入り口の高さ方向のほぼ中間部に位置するため、キー操作を、腰をかがめることなく行うことができる。なお、シャッタースラット２３Ａの取り付け位置は出入り口の高さ方向のほぼ中間部に限定されるものではなく高さ方向の下端部に取り付けることも可能である。
【００１２】
図２は、シャッタースラット２３Ａの正面図である。このシャッタースラット２３Ａの幅方向のほぼ中間部にキーユニット２５が取り付けられている。そして、このキーユニット２５が後述するように施錠操作されたとき、シャッタースラット２３Ａの両端に突出している一対の作動バー２７の先端部２７Ａが、図示の位置Ａから図示の位置Ｂに突出し、この位置Ｂでは先端部２７Ａが、図示を省略したシャッター枠の作動バー受け部に嵌合して施錠される。
【００１３】
図３は、キーユニット２５の斜視図である。
【００１４】
このキーユニット２５は、想像線で示すケース３１を有している。このケース３１内には、室外側からキー３２を差し込んで、回動操作を可能にしたキーシリンダ３３が一体的に固定されている。このキーシリンダ３３は、キー３２を差し込むための矩形状のキー孔３３Ａを有し、このキー孔３３Ａに当該キー３２を差し込んで、それを回動操作したときに、この回動操作に連動して一体的に回動する第１ギア３４を備えて構成されている。
【００１５】
この第１ギア３４は、室内側から矢印Ｘ方向に往復操作を可能にした室内レバー（室内操作部）３５のラック３５Ａに噛み合い、このラック３５Ａには、第２ギア３７が噛み合っている。この第２ギア３７は、第１ギア３４と並列にしかも同一の第１の面内に配設され、第１ギア３４の回動軸とは異なる回動軸上を回動する。この第２ギア３７の回動軸と同一の回動軸上には、第３ギア３９が取り付けられ、この第３ギア３９は、第２ギア３７と一体的に回動可能に構成されている。この第３ギア３９には、一対の中間バー４１，４２のラック４１Ａ，４２Ａが噛み合い、第３ギア３９が回動すると、一対の中間バー４１，４２が、第３ギア３９の回動動作と連動し、シャッタースラット２３Ａの幅方向Ｘに往復移動する。一対の中間バー４１，４２は、第３ギア３９と同一の第２の面（第１の面とほぼ平行な面）内に配設されている。
【００１６】
また、各中間バー４１，４２の先端部には、図２に示すように、作動バー２７がそれぞれ連結されている。
【００１７】
なお、一対の中間バー４１，４２を省略し、第３ギア３９に作動バー２７を直接連動させることは可能である。
【００１８】
つぎに、施解錠操作を説明する。図４は、解錠状態のキーユニット２５を示し、図５は、施錠状態のキーユニット２５を示している。
【００１９】
室外側からキー３２による施錠操作を行う場合、図４において、キーシリンダ３３のキー孔３３Ａにキー３２を差し込み、これを矢印Ａ方向に回動させる。すると、第１ギア３４がその方向に回動し、この回動操作に連動して、ラック３５Ａを介して室内レバー３５が矢印Ｂ方向に移動する。
【００２０】
室内レバー３５が矢印Ｂ方向に移動するとほぼ同時に、室内レバー３５と同一の第１の面内に配設された、ラック３５Ａに噛み合う第２ギア３７が回動し、これと一体的に第３ギア３９が回動し、この第３ギア３９を介して、一対の中間バー４１，４２がそれぞれの方向Ｃ，Ｄに移動する。
【００２１】
図５は、中間バー４１，４２が各方向Ｃ，Ｄにほぼ完全に移動した状態であり、この状態では、図２に示すように、作動バー２７の先端部２７Ａが、図示の位置Ａから図示の位置Ｂに突出し、先端部２７Ａが、図示を省略した作動バー受け部に嵌合して施錠される。
【００２２】
一方、室内側から室内レバー３５による施錠操作を行う場合、図４において、室内側から室内レバー３５の把手部に手をかけて、これを矢印Ｂ方向に移動させる。すると、第１ギア３４、第２ギア３７及び第３ギア３９が矢印Ａ方向に回動し、第３ギア３９を介し、一対の中間バー４１，４２がそれぞれの方向Ｃ，Ｄに移動する。これにより、図５に示すように、中間バー４１，４２が各方向Ｃ，Ｄにほぼ完全に移動し、図２に示すように、作動バー２７の先端部２７Ａが、図示の位置Ａから図示の位置Ｂに突出し、先端部２７Ａが、図示を省略した作動バー受け部に嵌合して施錠される。
【００２３】
また、解錠時には、室外側からも室内側からも、上述した操作と全く逆の操作が行われ、これによって、図２に示す作動バー２７の先端部２７Ａが、図示の位置Ｂから図示の位置Ａに後退し、先端部２７Ａが、図示を省略した作動バー受け部から離脱して解錠される。
【００２４】
上記構成では、図３に示すように、室内レバー３５の内端部とケース３１との間にコイルばね５１が掛け渡されている。室内レバー３５が、図４の位置に移動した時と、図５の位置に移動した時とでは、このコイルばね５１の位置が反転する。このコイルばね５１は、室内レバー３５の操作時における、いわばクリック感を向上させると共に、振動によって室内レバー３５が移動しないように施錠、解錠の状態を保持するものである。
【００２５】
また、上記構成では、中間バー４１，４２に往復移動させる力が直接作用しても、施錠状態にあるキーユニット２５が解錠されたり、解錠状態にあるキーユニット２５が施錠されたりしない。
【００２６】
第１ギア３４及び第２ギア３７は１０枚歯であり、これに噛み合うラック３５Ａは小型歯であるのに対し、第３ギア３９は４枚歯３９Ａ〜３９Ｄであり、これに噛み合うラック４１Ａ，４２Ａは大型歯である。
【００２７】
そして、例えば、図４において、中間バー４１に対し、矢印Ｃ方向に力が作用しても、第３ギア３９の歯３９Ａに、中間バー４１のラック４１Ａが当たって、それ以上、矢印Ｃ方向に中間バー４１を移動させることができず、中間バー４２に対し、矢印Ｄ方向に力が作用しても、第３ギア３９の歯３９Ｂに、中間バー４２のラック４２Ａが当たって、それ以上、矢印Ｄ方向に中間バー４２を移動させることができない。図５においては、中間バー４１に対し、矢印Ｃと逆方向に力が作用しても、第３ギア３９の歯３９Ｃに、中間バー４１のラック４１Ａが当たって、それ以上、矢印Ｃと逆方向に中間バー４１を移動させることができず、中間バー４２に対し、矢印Ｄと逆方向に力が作用しても、第３ギア３９の歯３９Ｄに、中間バー４２のラック４２Ａが当たって、それ以上、矢印Ｄと逆方向に中間バー４２を移動させることができない。
【００２８】
このような状態では、そもそも第３ギア３９が全く回動せず、従って、第２ギア３７も第１ギア３４も回動しない。
【００２９】
本実施形態では、キー３２によって回動操作される第１ギア３４を、室内レバー３５のラック３５Ａに噛み合わせ、この室内レバー３５のラック３５Ａに第２ギア３４を噛み合わせて、これらを第１の面内に配置すると共に、第２ギア３４と同軸上を回動する第３ギア３９を設け、この第３ギア３９の回動動作に連動する中間バー４１，４２を設け、これらを第２の面内に配置したため、中間バー４１，４２の駆動機構をまとまりよく２つの面内に納めることができ、従来のものに比べ、キーユニット２５を薄くすることができる。
【００３０】
従って、図１を参照し、シャッタースラット２３をドラム状に上方に巻き上げたときに、キーユニット２５を一体的に巻き込んだとしても、従来のものに比べ、このキーユニット２５の厚さが薄く形成されているため、シャッタースラット２３の巻き径を小さく抑制することができ、その結果、シャッターボックス１１の小型化を達成することができる。
【００３１】
図６Ａ、図６Ｂは、別の実施形態を示す。
【００３２】
本実施形態では、上記室内レバー３５が、第１ギア３４と第２ギア３７との間に回動可能に配置された第４ギア６１に置き換えられ、この第４ギア６１には、図６Ｂに示すように、第４ギア６１を回動させるダイアル式のつまみ（室内操作部）６２が設けられている。
【００３３】
室内側からつまみ６２が回動されると、第４ギア６１が回動し、これに連動して第１ギア３４及び第２ギア３７が回動する。これらは第１の面内に配設されている。そして、第２ギア３７が回動すると、これと一体的に第３ギア３９が回動し、この第３ギア３９の回動に連動して、一対の中間バー４１，４２が上述した方向に移動する。これらは第２の面内に配設されている。
【００３４】
室外側からキーシリンダ３３のキー孔３３Ａにキーを差し込み、これを回動させると、第１ギア３４がその方向に回動し、この回動操作に連動して、第４ギア６１並びに第２ギア３７がそれぞれ回動する。この第２ギア３７が回動すると、これと一体的に第３ギア３９が回動し、この第３ギア３９を介して、一対の中間バー４１，４２がそれぞれの方向に移動する。
【００３５】
本実施形態では、キーによって回動操作される第１ギア３４を、第４ギア６１に噛み合わせ、この第４ギア６１に第２ギア３４を噛み合わせて、これらを第１の面内に配置すると共に、第２ギア３４と同軸上を回動する第３ギア３９を設け、この第３ギア３９の回動動作に連動する中間バー４１，４２を設け、これらを第２の面内に配置したため、中間バー４１，４２の駆動機構をまとまりよく２つの面内に納めることができ、従来のものに比べ、キーユニット２５の厚さを薄くすることができる。また、室内側から操作するつまみ６２を、軸方向に寸法的なゆとりのある、第１の面内に配置された第４ギア６１に取り付けたため、このつまみを、軸方向に寸法的なゆとりのない、キーシリンダ３３に取り付けたものに比べ、キーユニット２５の厚さを薄くすることができる。
【００３６】
従って、図１を参照し、シャッタースラット２３をドラム状に上方に巻き上げたときに、キーユニット２５を一体的に巻き込んだとしても、従来のものに比べ、このキーユニット２５の厚さが薄く形成されているため、シャッタースラット２３の巻き径を小さく抑制することができ、その結果、シャッターボックス１１の小型化を達成することができる。
【００３７】
以上、一実施形態に基づいて本発明を説明したが、本発明は、これに限定されるものでないことは明らかである。
【００３８】
【発明の効果】
本発明では、キーユニットの厚さを薄くすることができるため、シャッタースラットをドラム状に上方に巻き上げたとき、キーユニットを一体的に巻き込んだとしても、シャッタースラットの巻き径を小さくすることができ、巻き上げ機の小型化を達成することができる。
【図面の簡単な説明】
【図１】シャッター付きのサッシを示す縦断面図である。
【図２】キーユニットを含むシャッタースラットを示す正面図である。
【図３】キーユニットを示す斜視図である。
【図４】解錠状態のキーユニットを示す図である。
【図５】施錠状態のキーユニットを示す図である。
【図６】Ａは別の実施形態を示す正面図、Ｂはつまみを示す斜視図である。
【符号の説明】
１０  シャッター
１１  シャッターボックス
２３、２３Ａ  シャッタースラット
２５  キーユニット
２７  作動バー
３２  キー
３３  キーシリンダ
３４  第１ギア
３５  室内レバー（室内操作部）
３７  第２ギア
３９  第３ギア
４１，４２  中間バー
６１  第４ギア
６２  つまみ（室内操作部）
【図１】
0003843006.tif 000002
【図２】
0003843006.tif 000003
【図３】
0003843006.tif 000004
【図４】
0003843006.tif 000005
【図５】
0003843006.tif 000006
【図６】
0003843006.tif 000007